【事件の表示】
　平成　４年特許願第２１２０７５号「インクタンク」拒絶査定に対する審判事件［平成　６年　２月　８日出願公開、特開平　６−　３１９１０］について、次のとおり審決する。
【結　論】
　本件審判の請求は、成り立たない。
【理　由】
Ｉ．本願は、平成４年７月１６日に出願されたものであって、特許を受けようとする発明は、平成１３年８月２７日付け手続補正書によって補正された明細書及び図面の記載からみて、その特許請求の範囲の請求項１に記載された次のとおりのものと認める。
　「【請求項１】　キャリッジに対して着脱可能に搭載された同一色のインクを吐出する独立して構成された第１記録ヘッドと第２記録ヘッドの夫々に対して供給されるインクを貯留する前記記録ヘッドと別体に構成されるとともに、前記キャリッジに搭載可能にされたインクタンクであって、
　前記インクタンクは、前記第１記録ヘッドおよび前記第２記録ヘッドの夫々に供給されるインクを共通して内蔵する共通インクタンクであり、前記第１記録ヘッドに対してインクを供給する第１インク供給部と、前記第２記録ヘッドに対してインクを供給する第２インク供給部と、を夫々独立して前記インクタンクの一側面に具えたことを特徴とするインクタンク。（以下、「本願発明」という。）」
　
ＩＩ．これに対して、当審の拒絶の理由に引用した特開昭５９−１０９３６６号公報（以下、「引用例」という。）には、
　「独立駆動可能な複数の同色記録手段を有する多色記録装置において、前記複数の同色記録手段へ同色記録液体を分配供給するディストリビュータを具備したことを特徴とする多色記録装置。」（特許請求の範囲第１項）
　「第１図は本発明を適用した多色インクジェットプリンタの概略構成を示す。図において、１は記録紙、２はプラテン、３−１は記録紙１をプラテン２に押圧するピンチローラであり、記録紙１は紙送りローラ３−２の回転によってプラテン２上を副走査方向（図示矢印方向）に移動する。４はマルチノズルインクジェットヘッドを記録紙１に対向配置して成るヘッドユニット群であり、図の左側から主走査方向にＹ，Ｍ，Ｂ，Ｂ，Ｃ，Ｍ，Ｙの順に各色のインクを吐出するヘッドユニット４Ｙ，４Ｍ、４Ｃ，４Ｂ，４Ｂ’，４Ｃ’，４Ｍ’，４Ｙ’が所定の間隔に配列されている。」（２頁左上欄９行〜２０行）
　「ヘッドユニット群４はヘッド固定板１０によって不図示のキャリッジに固定されている（第３図参照）。キャリッジは駆動ベルト等の周知の駆動手段によって摺動軸に案内されて、記録紙１上を主走査方向に往復動する。次に、各ヘッドユニットへインクを供給するインク供給系を説明する。１２Ｙ，１２Ｍ，１２Ｃ，および１２ＢはＹ，Ｍ，ＣおよびＢそれぞれの色インクを貯留したインク貯留部であり、１３Ｙ，１３Ｍ，１３Ｃおよび１３Ｂはそれぞれその一端側で各インクタンクに連通したインクパイプである。１４Ｙ，１４Ｍ，１４Ｃおよび１４Ｂはそれぞれインクパイプ１３Ｙ〜１３Ｂの他端側と連通したディストリビュータであり、各色インクがそれぞれインクパイプ１３Ｙ〜１３Ｂを介してディストリビュータ１４Ｙ〜１４Ｂに供給される。１５Ｙおよび１５Ｙ’は一端でディストリビュータ１４Ｙに連通したインクパイプ、１６Ｙ，１６Ｙ’はそれぞれインクパイプ１５Ｙおよび１５Ｙ’の他端をヘッドユニット４Ｙおよび４Ｙ’の液室５Ｙおよび５Ｙ’に連通する入液カプラである。ディストリビュータ１４Ｙに供給されたイエローインクは、後述するようにインクパイプ１５Ｙおよび１５Ｙ’に分配され、それぞれインクパイプ１５Ｙおよび１５Ｙ’を介して液室５Ｙおよび５Ｙ’に供給されることになる。」（２頁右上欄１２行〜左下欄１６行）
　これらを含む明細書及び図面の記載から、引用例には、次の発明（以下、「引用例発明」という。）が記載されているものと認められる。
　「キャリッジに固定された同一色のインクを吐出する独立して構成された複数の同色記録手段の夫々に対して供給されるインクを貯留するインクタンクであって、前記インクタンクは多色記録装置のフレームに配置され、
　前記インクタンクは、前記複数の同色記録手段の夫々に供給されるインクを共通して内蔵する共通インクタンクであり、前記複数の同色記録手段に対して夫々インクを供給する複数のインクパイプとインクタンクに連通したインクパイプとは、ディストリビュータを介して連通されていることを特徴とするインクタンク。」
　 
 ＩＩＩ．本願発明と引用例発明とを対比するに、
　引用例発明の「独立駆動可能な複数の同色記録手段」、「共通インクタンク」は、本願発明の「第１記録ヘッドと第２記録ヘッド」、「共通インクタンク」に、それぞれ相当する。また、引用例発明の「前記複数の同色記録手段に対して夫々インクを供給する複数のインクパイプとインクタンクに連通したインクパイプとは、ディストリビュータを介して連通されている」と、本願発明の「前記第１記録ヘッドに対してインクを供給する第１インク供給部と、前記第２記録ヘッドに対してインクを供給する第２インク供給部とを、夫々独立して共通インクタンクの一側面に具えた」とは、「前記第１記録ヘッド及び前記第２記録ヘッドに対して共通インクタンクからインクを供給する部材を具える」という点で共通する。そして、引用例発明の「独立駆動可能な複数の同色記録手段とインクタンク」とは、第１図及び第３図から別体であることは明らかであるから、
　両者は、「キャリッジに搭載された同一色のインクを吐出する独立して構成された第１記録ヘッドと第２記録ヘッドの夫々に対して供給されるインクを貯留する前記記録ヘッドと別体に構成されるとともに、前記インクタンクは、前記第１記録ヘッドおよび前記第２記録ヘッドの夫々に供給されるインクを共通して内蔵する共通インクタンクであり、前記第１記録ヘッド、及び前記第２記録ヘッドに対して共通インクタンクからインクを供給する部材と、を具えたことを特徴とするインクタンク。」の点で一致し、次の点で相違する。　
　
　（相違点）
 （１）キャリッジに対して搭載されている第１記録ヘッドと第２記録ヘッドが、本願発明では、着脱可能であるのに対して、引用例発明では、着脱可能であるか否か明らかでない点。
 （２）共通インクタンクの配置場所、及び共通インクタンクと第１記録ヘッド、第２記録ヘッドとの連通関係について、本願発明では、共通インクタンクはキャリッジに搭載可能にされ、第１記録ヘッドに対してインクを供給する第１インク供給部と、第２記録ヘッドに対してインクを供給する第２インク供給部とが、夫々独立して共通インクタンクの一側面に具えられているのに対して、引用例発明では、共通インクタンクはキャリッジに搭載されておらず、キャリッジに搭載された複数の同色記録手段へはインクタンクに連通されたインクパイプからディストリビュータを介して分配供給するものである点。
　そこで、相違点（１）を検討するに、
 キャリッジに、インク記録ヘッドを着脱可能に搭載することは周知技術（例えば、特開平３−１８４８７３号公報、実願平２−６９１２７号（実開平４−２９０４２号）のマイクロフィルム等参照）であるから第１記録ヘッドと第２記録ヘッドをキャリッジに対して着脱可能とすることは引用例発明と周知技術とから当業者が容易に想到することができるたものと認められる。
　次に、相違点（２）を検討するに、
　インクタンクをキャリッジに搭載可能とすることは周知（例えば、特開平３−１８４８７３号公報、実願平２−６９１２７号（実開平４−２９０４２号）のマイクロフィルム等参照）であるから、共通インクタンクをキャリッジに搭載可能とすることは、当業者が容易に想到し得ることであり、その際、複数の同色記録手段へのインク供給をインクタンクに連通されたインクパイプからディストリビュータを介して分配供給するのに代えて、インクタンクから夫々独立して直接的に供給するべく、共通インクタンクの一側面に複数のインク供給部を設けるようにすることは、当業者が必要に応じて適宜なし得る設計的事項である。　
　そして、本願発明の奏する作用効果も前記引用例記載のもの及び周知技術から当業者が容易に予測できる程度ものと認められる。
　　　                                
ＩＶ． 以上のとおりであるから、本願特許請求の範囲の請求項１に記載された発明は、前記引用例１に記載されたもの及び周知技術から当業者が容易に発明をすることができたものであるから、特許法第２９条第２項の規定により特許を受けることができない。
　よって結論のとおり審決する。